(57)【要約】【課題】定額低料金で通話を行うことが可能な携帯電話の通信。【解決手段】携帯電話１０からの発信データを通常の音声データ信号からＩＰデータとして取り扱うＩＰデータ化信号に変換して発信し、このＩＰデータ化信号を受信した基地局１３にこのＩＰデータ化信号を通常のＩＰデータ信号と同様の取り扱いをさせ、基地局交換機１４のＩＰデータ通過帯域１４ｃを自動的に通過させる。【選択図】  図１
2004248238.tif 000002
【特許請求の範囲】
【請求項１】
携帯電話からの発信データを音声データ信号からＩＰデータとして取り扱うＩＰデータ化信号に変換して発信し、該ＩＰデータ化信号を受信した基地局には、該ＩＰデータ化信号をＩＰデータの受信として認識させると共に、該基地局におけるＩＰデータ通過帯域を通過させた後にＩＰ網へ発信して相手先の電話に送信することを特徴とする携帯電話における通信方法。
【請求項２】
ＩＰ網へ発信されたＩＰデータ化信号をコールエージェントが認識すると共に、該コールエージェントは該ＩＰデータ化信号を音声データ信号に再変換することを特徴とする請求項１記載の携帯電話における通信方法。
【請求項３】
音声データ信号は１１ビット信号であり、ＩＰデータ化信号は６ビット信号であることを特徴とする請求項１又は２記載の携帯電話における通信方法。
【請求項４】
音声データ信号からＩＰデータ化信号への信号変換は、携帯電話への付設モデムにより行われることを特徴とする請求項１，２又は３記載の携帯電話における通信方法。
【請求項５】
音声データ信号からＩＰデータ化信号への信号変換を行う携帯電話への付設モデムの提供事業者は、コールエージェントであり、且つ、ＩＰデータ化信号通過させた基地局の保有事業者とその通過使用料を相互に取決めることを特徴とする請求項４記載の携帯電話における通信方法。
【発明の詳細な説明】
【０００１】
【発明の属する技術分野】
この発明は、定額低料金で通話を行うことが可能な携帯電話における通信方法に関する。
【０００２】
【従来の技術】
周知のように、移動体通信である携帯電話システムは概略次のように構築されている。まず、携帯電話１から相手先の電話番号８ＯＲ９をダイヤルすると、ダイヤルされた相手先の電話番号と自己の電話番号，自分の居場所を示す情報などの発呼信号が、携帯電話事業者の中継局アンテナ２から電話事業者が保有する基地局３に送られ、この基地局３の通信制御部４においてデータ認識されると共に、この基地局３の交換機５の通話データ通過帯域５ａを通過させた後に電話網４を介して相手先の電話８ＯＲ９に接続する。
【０００３】
相手先と通話可能の場合には、携帯電話１から発信される通話データは圧縮された音声データとして信号化され、上記した発呼信号と同様の経路をたどり相手先に伝送され通話がなされる。その際、通話料の課金は、中継局アンテナ２を保有する携帯電話事業者が、基地局３の通信制御部４の指令により算出された金額と、基地局交換機５の通話データ通過帯域通過料である回線使用料金とを含めて算出し、携帯電話１の使用者に月単位で請求をしている。
【０００４】
勿論、基地局３の通信制御部４では、携帯電話１からの通話データは決められた通話データ・ビット数、例えば１１ビットとされて基地局３の交換機５に伝送するので、基地局における通話データは予め決められた通話データ・ビット数の信号を通過させるべく設定されている交換機５の通話データ通過帯域５ａを自動的に通過するように設定されている。
【０００５】
また、基地局３の交換機５では、メールなどの通信データは決められたプロトコルデータ・ビット数、例えば１１ビットとされてプロトコルデータ通過帯域５ｂを自動的に通過するように設定され、インターネット情報は決められたＩＰデータ・ビット数、例えば８ビットとされてＩＰデータ通過帯域５ｃを自動的に通過するように設定されている。なお、このＩＰデータ通過帯域５ｃは、ＩＰデータの通過に際しその他の通過帯域と異なり非課金とされている。
【０００６】
【発明が解決しようとする課題】
ところで、従来の携帯電話システムでは、上記したように、基地局の交換機に伝送される通話データは、基地局を保有する携帯電話事業者の通信制御部が自動的に課金式の通話データ通過帯域を通過するように設定しているので、通話使用料は回線使用時間などに既定され、月極めの定額として低料金化を図ることができないという問題があった。
【０００７】
携帯電話の急速な普及に伴なってその低料金化が望まれており、また、携帯電話における低料金化は、さらに経済面のみならず文化・芸術面などあらゆる方面における活性化にも寄与すると云われている。
【０００８】
この発明は、上記のような事情に鑑みてなされたものであり、従来の携帯電話システムを何ら改変することなく、きわめて容易に月極の定額低料金で通話を行うことが可能な携帯電話における通信方法の提供をその目的とする。
【０００９】
【課題を解決するための手段】
この発明は、上記のような目的を達成するために、請求項１記載のように、携帯電話からの発信データを音声データ信号からＩＰデータとして取り扱うＩＰデータ化信号に変換して発信し、該ＩＰデータ化信号を受信した基地局には、該ＩＰデータ化信号をＩＰデータの受信として認識させると共に、該基地局におけるＩＰデータ通過帯域を通過させた後にＩＰ網へ発信して相手先の電話に送信することを特徴とする。また、請求項２記載のように、ＩＰ網へ発信されたＩＰデータ化信号をコールエージェントが認識すると共に、該コールエージェントは該ＩＰデータ化信号を音声データ信号に再変換することを特徴とする。また、請求項３記載のように、音声データ信号は１１ビット信号であり、ＩＰデータ化信号は６ビット信号であることを特徴とする。また、請求項４記載のように、音声データ信号からＩＰデータ化信号への信号変換は、携帯電話への付設モデムにより行われることを特徴とする。また、請求項５記載のように、音声データ信号からＩＰデータ化信号への信号変換を行う携帯電話への付設モデムの提供事業者は、コールエージェントであり、且つ、ＩＰデータ化信号通過させた基地局の保有事業者とその通過使用料を相互に取決めることを特徴とする。
【００１０】
【発明の実施の形態】
以下、この発明の実施例を図面に基づき詳細に説明する。
【００１１】
携帯電話１０に装着する小型アダプター（モデム）１０ａは、自己の携帯電話番号，相手先の電話番号，音声データ，自分の居場所を示す情報など総ての発信データを、１１ビットの通話データ信号から８ビットのＩＰデータ信号に圧縮変換可能とする。
【００１２】
ＩＰデータ信号として圧縮変換された総ての発信データ（以下、ＩＰデータ化信号という）は、携帯電話事業者の中継局アンテナ１１を介し、電話事業者の保有する基地局１３の通信制御部１２に送信される。
【００１３】
この基地局１３の通信制御部１２では、受信した総ての信号をその信号の種類により識別する。すなわち、上記したように、携帯電話などによる音声データは１１ビットの通話データ信号、メールなどの通信データは１１ビットの通信データ信号として取り扱われており、ＩＰデータは８ビットのＩＰデータ信号として取り扱われている。また、基地局１３の交換機１４では、上記したように音声データは通話データ通過帯域１４ａを、メールなどの通信データはプロトコルデータ通過帯域１４ｂを、インターネット情報であるＩＰデータはＩＰデータ通過帯域１４ｃをそれぞれ通過するように設定されている。
【００１４】
ＩＰデータ通過帯域１４ｃは、ＩＰデータの通過に際しその他の通過帯域と異なり非課金とされているので、この実施例のように通常の音声データ信号をＩＰデータ化信号として変換した場合には、音声データは自動的に非課金領域であるＩＰデータ通過帯域１４ｃを通過することとなる。
【００１５】
このため、ＩＰデータ通過帯域１４ｃにＩＰデータ化信号とされた音声データを通過させる場合の使用料は、取決めによる月極の定額料金として設定することができることとなる。
【００１６】
このようにして、基地局１３内の交換機１４からＩＰ網１５に伝送されたＩＰデータ化信号は、通話データを音声データ信号からＩＰデータ化信号に変換して発信する小型アダプター１０ａの事業者であるＣＡ（コール・エージェント）１６のＧＷ（ゲート・ウェイ）１７を介して確認されると共に、そのＩＰデータ化信号は８ビットのＩＰデータ信号から１１ビットの通話データ信号に再び変換される。そして、従来システムと同様に、相手先が固定電話２０の場合には、相手先の固定電話がある場所の基地局１８を介して相手先の固定電話２０につながり、相手先が携帯電話２１の場合には、相手先電話の近くの中継局のアンテナ１９を介して相手先の携帯電話２１につながる。
【００１７】
このように、この実施例による主要な動作は、携帯電話がＯＮとされて入力動作が開始され、携帯電話の操作は相手先との通信であると判断された場合には、通常の音声圧縮データ信号（例えば１１ビット信号）からＩＰデータ信号（例えば８ビット信号）であるＩＰデータ化信号に変換された後に発信される。このため、基地局１３はこのＩＰデータ化信号を通常のＩＰデータ化信号として取り扱うこととなる。したがって、通話に際し非課金の通過帯域とされている基地局交換機の１４ｃを自動的に通過させることとなり、従来のように通話に際し通話料金のカウントをさせずに通話を行なわしめることができ、この通信方式の新たな課金体制を新たに構築することができるので、月極の定額で低料金の通話体制を構築できる。なお、小型アダプター１０ａは後付けの付設型だけでなく、携帯電話１０に予め組み込むようにしてもよく、また、予め携帯電話自体の有する機能としておいてもよいことは勿論である。
【００１８】
【発明の効果】
以上説明したように、この発明によれば、携帯電話からの発信データを通常の音声データ信号からＩＰデータとして取り扱うＩＰデータ化信号に変換して発信するので、このＩＰデータ化信号を受信した基地局はこのＩＰデータ化信号を基地局交換機のＩＰデータ通過帯域を自動的に通過させることとなる。このため、従来のように課金帯域である音声データ通過帯域を通過させることがないので、ＩＰデータ通過帯域の通過に伴なう定額料金体制を確立することができる。
【図面の簡単な説明】
【図１】この発明に係る携帯電話の通信システムを示す説明図である。
【図２】従来の携帯電話の通信システムを示す説明図である。
【符号の説明】
１０    携帯電話
１０ａ  携帯電話に付設する小型アダプター
１３    基地局
１４    交換機
【図１】
2004248238.tif 000003
【図２】
2004248238.tif 000004